(57)【要約】本実施形態のＦＭ多重放送システムは、ＦＭ多重放送用データを制作又は管理する中央サーバー１と、該中央サーバー１とインターネット２で接続されたコミュニティ・サーバー３ａ，３ｂ，３ｃと、を備え、前記中央サーバー１から前記コミュニティ・サーバー３ａ，３ｂ，３ｃに前記ＦＭ多重放送用データを伝送し、前記コミュニティ・サーバー３ａ，３ｂ，３ｃを介して特定の地域（例えば、地域Ａ）に前記ＦＭ多重放送用データを含むＦＭ多重放送を提供するものである。  これにより、ＦＭ放送により放送されるコンテンツについて、視聴者の条件に応じて特定の情報のみを再生又は記憶させることができる。【特許請求の範囲】
【請求項１】
ＦＭ多重放送用データを制作又は管理する中央サーバーと、
該中央サーバーと有線又は無線で接続されたコミュニティ・サーバーと、を備え、
前記中央サーバーから前記コミュニティ・サーバーに前記ＦＭ多重放送用データを伝送し、
前記コミュニティ・サーバーを介して特定の地域に前記ＦＭ多重放送用データを含むＦＭ多重放送を提供する、
ことを特徴とするＦＭ多重放送システム。
【請求項２】
前記ＦＭ多重放送用データは、前記コミュニティ・サーバー側が保持する情報が挿入可能である、ことを特徴とする請求項１に記載のＦＭ多重放送システム。
【請求項３】
前記ＦＭ多重放送用データは、コンテンツ・データと、該コンテンツ・データに関する情報を含むインデックス・データとから構成されていることを特徴とする請求項１又は請求項２に記載のＦＭ多重放送システム。
【請求項４】
前記インデックス・データは、前記コンテンツ・データの放送に対して、所定時間先行して放送される、ことを特徴とする請求項３に記載のＦＭ多重放送システム。
【請求項５】
ＦＭ多重放送用データを中央サーバー側で制作又は管理する工程と、
前記ＦＭ多重放送用データを前記中央サーバーから各地域に設置されたコミュニティ・サーバーに伝送する工程と、
前記コミュニティ・サーバーを介して特定の地域に前記ＦＭ多重放送用データを含むＦＭ多重放送を提供する工程と、
からなることを特徴とするＦＭ多重放送提供方法。
【請求項６】
前記コミュニティ・サーバー側が保持する情報を前記ＦＭ多重放送用データに挿入する工程を、備えることを特徴とする請求項５に記載のＦＭ多重放送提供方法。
【請求項７】
前記ＦＭ多重放送用データは、コンテンツ・データと、該コンテンツ・データに関する情報を含むインデックス・データとから構成されていることを特徴とする請求項５又は請求項６に記載のＦＭ多重放送提供方法。
【請求項８】
前記インデックス・データは、前記コンテンツ・データの放送に対して、所定時間先行して放送される、ことを特徴とする請求項７に記載のＦＭ多重放送提供方法。
【請求項９】
コンテンツ・データと、該コンテンツ・データに関する情報を含むインデックス・データとから構成されるＦＭ多重放送の受信機であって、
前記ＦＭ多重放送を受信する受信手段と、
前記インデックス・データの検索条件を入力する条件設定手段と、
前記インデックス・データを前記検索条件に従って検索する検索手段と、
検索結果に基づいて該インデックス・データに関連付けられたコンテンツ・データを記憶する記憶手段と、
からなることを特徴とする受信機。
【請求項１０】
前記検索結果に基づいて所望のコンテンツ・データを再生する再生手段を有する、ことを特徴とする請求項９に記載の受信機。
【請求項１１】
前記検索結果に基づいて所望のインデックス・データを表示するディスプレイを有する、ことを特徴とする請求項９に記載の受信機。
【発明の詳細な説明】
【技術分野】
【０００１】  本発明は、視聴者の条件に応じて特定の情報のみを再生又は記憶させることができるＦＭ多重放送システム、ＦＭ多重放送提供方法及び受信機に関する。
【背景技術】
【０００２】  ＦＭ多重放送とは、音声信号に合わせて文字情報を同時に送信しているＦＭ放送である。対応した受信機（例えば、ラジオ）で放送を受信すると、ディスプレイにニュースや天気予報、交通情報などの文字情報が表示される。今流れている曲の曲名やアーティスト名を表示させることもできる。かかるサービスは、１９９４年の電波監理審議会答申を受けて、１９９６年にサービスが開始されたものである。【０００３】  ＦＭ多重放送では、ＦＭ放送のステレオ音声信号より少し高い周波数に文字情報をデジタル化して重畳している。文字情報は音声に比べれば情報量が何桁も少ないため、音質などに影響が出ることはない。かかるＦＭ多重放送の受信機には、例えば、日本国特許公報特開平６−２５２７９０号に記載されたようなものが提案されている。【０００４】  この文献には、ＦＭ多重放送信号に重畳されて送られてくる多重データに含まれる多重放送番組を識別するための識別コードを利用するＦＭ多重受信機であって、記憶手段と、前記識別コードを検出するとともに前記記憶手段に記憶させる識別コード検出手段と、操作手段と、該操作手段の操作に応じて前記記憶手段に記憶された識別コードに対応した文字等からなる表題を表示手段に表示させる表示制御手段と、前記表示手段に表示された表題のうちの一つが前記操作手段により選択されたとき、その表題の識別コードに基づき多重放送番組を選択して前記記憶手段に記憶させる多重番組選択手段と、を備えたことを特徴とするＦＭ多重受信機が開示されている。【０００５】  かかる受信機によれば、ＦＭ多重放送信号の多重データから検出された識別コードに対応した文字等からなる表題を表示手段に表示させることができるとともに、表示手段に表示された表題の中の一つを操作手段により選択したときに、その表題の識別コードに基づき多重放送番組を選択して記憶手段に記憶させることができるので、必要とされる多重放送番組データのみを自動的に記憶することができる。
【特許文献１】日本国特許公報特開平６−２５２７９０号
【発明の開示】
【０００６】  ところが、上述したように受信機のディスプレイを利用して、聴覚だけでなく視覚によって放送内容を認識できたとしても、聞き逃したり、見逃したりしてしまう可能性がある。特に、音楽番組を受信していて、特定の曲を録音しようとした場合には、いつ曲が始まり、いつ曲が終了するのか把握するのが困難であり、しかも録音操作はリモコンなどを利用して手動で行わなければならず、所望の曲のみを録音するには操作及びタイミングが難しいという問題があった。
【０００７】  また、市販されているＦＭ放送の番組表を利用してエアチェックすることもできるが、全ての番組表の中から所望の曲を探し出すことは困難であり、また重複した時間に録音したい情報が放送されているような場合には、一方の情報については録音することができないという問題があった。
【０００８】  さらに、上述した特許文献１に記載された発明では、放送番組ごとに録音することはできるが、必要な情報のみを選択的に録音することはできないという問題があった。
【０００９】  本発明は、かかる課題に鑑みてなされたもので、視聴者の条件に応じて特定の情報のみを再生又は記憶させることができるＦＭ多重放送システム、ＦＭ多重放送提供方法及び受信機を提供するものである。
【００１０】  本発明は、ＦＭ多重放送用データを制作又は管理する中央サーバーと、該中央サーバーと有線又は無線で接続されたコミュニティ・サーバーと、を備え、前記中央サーバーから前記コミュニティ・サーバーに前記ＦＭ多重放送用データを伝送し、前記コミュニティ・サーバーを介して特定の地域に前記ＦＭ多重放送用データを含むＦＭ多重放送を提供する、ことを特徴とするＦＭ多重放送システムを提供する。
【００１１】  また、他の発明は、ＦＭ多重放送用データを中央サーバー側で制作又は管理する工程と、前記ＦＭ多重放送用データを前記中央サーバーから各地域に設置されたコミュニティ・サーバーに伝送する工程と、前記コミュニティ・サーバーを介して特定の地域に前記ＦＭ多重放送用データを含むＦＭ多重放送を提供する工程と、からなることを特徴とするＦＭ多重放送提供方法を提供する。
【００１２】  さらに、他の発明は、コンテンツ・データとインデックス・データとから構成されるＦＭ多重放送の受信機であって、前記ＦＭ多重放送を受信する受信手段と、前記インデックス・データの検索条件を入力する条件設定手段と、前記インデックス・データを前記検索条件に従って検索する検索手段と、検索結果に基づいて所望のコンテンツ・データを記憶する記憶手段と、からなることを特徴とする受信機を提供する。
【００１３】  上記発明において、前記ＦＭ多重放送用データは、前記コミュニティ・サーバー側で各地域に密着した情報など、コミュニティ・サーバが保持する情報が挿入されるものであってもよい。
【００１４】  前記ＦＭ多重放送用データは、コンテンツ・データと、該コンテンツ・データに関する情報を含むインデックス・データとから構成されていることが好ましく、このインデックス・データは、前記コンテンツ・データの放送に対して、所定時間先行して放送されることが好ましい。
【００１５】  また、インデックス・データは、コンテンツ・データに関する情報として、音楽の曲名、放送開始時刻及び曲長時間や、音楽の曲名、放送開始時刻及び放送終了時刻を含むものであってもよいし、アーティスト名、音楽ジャンル、歌詞、又は曲名若しくはアーティストに関するキーワードを含むものであってもよい。
【００１６】  上記発明の受信機は、前記検索結果に基づいて所望のコンテンツ・データを再生する再生手段や、前記検索結果に基づいて所望のインデックス・データを表示するディスプレイを有していることが好ましい。
【図面の簡単な説明】
【００１７】
【図１】図１は、実施形態のＦＭ多重放送システムの概要を示す構成図である。
【図２】図２は、実施形態のＦＭ多重放送用データの構成を示す図である。
【図３】図３は、実施形態の受信機の概略ブロック図である。
【図４】図４は、実施形態のＦＭ多重放送提供方法を示したフロー図である。
【図５】図５は、実施形態の受信機を用いた録音方法を示したフロー図である。
【発明を実施するための最良の形態】
【００１８】  以下、本発明の最良の実施形態について図１乃至図５を参照して説明する。ここで、図１は本実施形態のＦＭ多重放送システムの概要を示す構成図、図２はＦＭ多重放送用データの構成を示す図である。【００１９】  同図に示すように、本実施形態のＦＭ多重放送システムは、ＦＭ多重放送用データを制作又は管理する中央サーバー１と、該中央サーバー１とインターネット２で接続されたコミュニティ・サーバー３ａ，３ｂ，３ｃと、を備え、前記中央サーバー１から前記コミュニティ・サーバー３ａ，３ｂ，３ｃに前記ＦＭ多重放送用データを伝送し、前記コミュニティ・サーバー３ａ，３ｂ，３ｃを介して特定の地域（例えば、地域Ａ）に前記ＦＭ多重放送用データを含むＦＭ多重放送を提供するものである。【００２０】  中央サーバー１は、図２に示すようなＦＭ多重放送用データをインターネット２を介してコミュニティ・サーバー３ａ，３ｂ，３ｃに提供するためのものである。ＦＭ多重放送用データは、中央サーバー１で制作してもよいし、他の端末で制作してもよい。【００２１】  インターネット２は、通信プロトコルであるＴＣＰ／ＩＰを用いて全世界の通信ネットワークを相互に接続した分散型コンピュータネットワークであり、ＴＣＰ／ＩＰを介して、各種端末機関において相互にパケットデータの送受信が可能である。かかるインターネット２は、有線であっても無線であってもよい。【００２２】  コミュニティ・サーバー３ａ，３ｂ，３ｃは、コミュニティＦＭ局４ａ，４ｂ，４ｃに設置されたサーバーである。コミュニティＦＭ局４ａ，４ｂ，４ｃは、県域単位で周波数が割り当てられた普通のＦＭ局ではなく、市町村単位で周波数が割り当てられていて、限られた地域の細かい情報を提供し、地域の活性化を目的とする放送局である。送信電力も最大で２０Ｗと小さい。かかるコミュニティＦＭ局４ａ，４ｂ，４ｃは、平成４年に導入され、現在では全国で１４０局以上が開局されている。例えば、コミュニティＦＭ局４ａは地域Ａ内の受信機５にＦＭ放送を提供する。【００２３】  ＦＭ多重放送用データは、図２に示すように、コンテンツ・データ２１とインデックス・データ２２とから構成される。【００２４】  コンテンツ・データ２１には、番組データ２１ａ、ＣＭデータ２１ｂ、ブランクデータ２１ｃなどを含み、各データ間にはフラグ２１ｄが挿入されている。このコンテンツ・データ２１がいわゆるＦＭ放送として各地域において提供される放送サービスの内容となる。番組データ２１ａには、音楽番組の場合には、ＤＪのトークなどの音声データや番組内で流される音楽の曲データが含まれる。また、ブランクデータ２１ｃには、コミュニティＦＭ局４ａ，４ｂ，４ｃで各地域に密着した情報（番組、交通情報、天気予報など）を挿入できるようになっている。かかる操作は、コミュニティ・サーバー３ａ，３ｂ，３ｃで行ってもよいし、他の端末で行ってもよい。【００２５】  インデックス・データ２２には、番組データ２１ａと同期をとるようにして情報データ２２ａが挿入されている。例えば、番組データ２１ａが音楽番組の場合には、情報データ２２ａは、番組内で流される音楽の曲名、アーティスト名、放送開始時間、放送終了時間、曲長時間など��データから構成されている。また、情報データ２２ａは、タイムスタンプによって所定の時間に区切られており、番組データ２１ａで放送が開始されるよりも前にインデックス・データ２２を受信機５に提供するようになっている。また、情報データ２２ａには、音楽ジャンル、歌詞、又は曲名若しくはアーティストに関するキーワードを含むように制作してもよい。情報データ２２ａに含ませる情報が多いほど、視聴者の好みに応じた情報を後述する受信機５で検索することができ、自動的に番組内の必要なデータのみを録音することができる。なお、図２では、タイムスタンプを１０秒ごとに区切ったが、これに限定されるものではなく、５秒でも１５秒でも任意の長さに設定することができる。【００２６】  このようなＦＭ多重放送用のインデックス・データ２２を用いることによって、視聴者の条件に応じて特定の情報のみを識別することができ、その識別結果に基づいてコンテンツ・データ２１に含まれる特定の情報のみを再生又は記憶させることができる。【００２７】  受信機５は、コンテンツ・データ２１とインデックス・データ２２とから構成されるＦＭ多重放送の受信機であって、ＦＭ多重放送を受信する受信手段と、インデックス・データ２２の検索条件を入力する条件設定手段と、インデックス・データ２２を検索条件に従って検索する検索手段と、検索結果に基づいて所望のコンテンツ・データ２１を記憶する記憶手段と、コンテンツ・データを再生する再生手段と、インデックス・データを表示するディスプレイとを有する。【００２８】  図３にその概略ブロック図を示す。同図に示すように、受信機５は、ＦＭ多重放送を受信するアンテナ３１と、受信したＦＭ多重放送データをコンテンツ・データ２１とインデックス・データ２２とに分離・デコードなどを行う受信部３２と、インデックス・データ２２に所望のキーワードを含むか否か検索を行う検索部３３と、検索部３３にキーワードをインプットするための入力部３４と、検索部３３の結果に応じて録音を行う記憶部３５と、受信したインデックス・データ２２をディスプレイに表示する表示部３６と、受信したコンテンツ・データ２１を再生する再生部３７とから構成されている。かかる構成によって、視聴者は、ＦＭ多重放送を受信し、自分の設定したキーワードに応じた情報（例えば音楽など）を自動的に録音することができる。【００２９】  受信部３２は、例えば、受信すべきＦＭ放送局に応じた所定の電圧信号を出力するＰＬＬ回路、電圧信号に基づきアンテナ３１から入力されるＦＭ放送局を受信して所定の中間周波数信号を発生するＦＭフロントエンド、中間周波数信号を増幅して検波する中間周波検波増幅器などから構成されている。【００３０】  検索部３３は、入力部３４から入力されたキーワードとインデックス・データ２２との比較を行い、コンテンツ・データ２１のどの情報を録音すればよいかを記憶部３５に指示を行うＣＰＵなどによって構成されている。【００３１】  入力部３４は、文字データを検索部３３に入力できるものであり、受信機５本体に設置された入力ボードであってもよいし、リモコンやキーボードであってもよい。【００３２】  記憶部３５は、一時的にコンテンツ・データ２１を記憶しておくバッファ・メモリ、固定的に記憶をするためのＨＤ、メモリ、ＣＤ装置、ＭＤ装置、ＤＶＤ装置などから構成される。【００３３】  表示部３６は、受信したインデックス・データ２２をディスプレイに表示するための制御を行う。表示部３６では、インデックス・データ２２を表示するか否かを選択することができるほか、入力部３４でインプットした所望のキーワードに合致するインデックス・データ２２を含む場合のみ表示させたりすることができる。【００３４】  再生部３７は、例えば、中間周波検波増幅器から入力される検波信号をステレオ信号に復調するＭＰＸ、ステレオ信号を増幅するアンプ、音声信号を出力するスピーカなどから構成される。再生部３７は、受信したコンテンツ・データ２１を再生するか否かを選択することができるほか、検索部３３の結果に基づいて記憶部３５に指示されたコンテンツ・データ２１のみを再生させたりすることができる。【００３５】  上述した受信機５の構成は、一例であり、一般的なオーディオ機器が備えている、ＣＤ再生機構、ＭＤ再生機構、カセットテープ再生・録音機構、タイマー機構などを備えていてもよい、また、ＦＭ多重放送受信用のチューナ・ボードを組み込んだパソコンであってもよいし、パソコンにＵＳＢチューナを接続したものであってもよい。【００３６】  次に本実施形態のＦＭ多重放送システムを用いたＦＭ多重放送提供方法について説明する。図４は、本実施形態のＦＭ多重放送提供方法を示したフロー図である。【００３７】  同図に示すように、本実施形態のＦＭ多重放送提供方法は、ＦＭ多重放送用データを制作するステップ（Ｓ４１）と、制作されたＦＭ多重放送用データを中央サーバー１で管理するステップ（Ｓ４２）と、ＦＭ多重放送用データを中央サーバー１から各地域に設置されたコミュニティ・サーバー３ａ，３ｂ，３ｃに配信するステップ（Ｓ４３）と、コミュニティＦＭ局４ａ，４ｂ，４ｃにおいてＦＭ多重放送用データを加工するステップ（Ｓ４４）と、ＦＭ多重放送用データをコミュニティＦＭ局４ａ，４ｂ，４ｃの管理する地域に伝送して番組を放送するステップ（Ｓ４５）と、から構成される。【００３８】  また、上記ステップ（Ｓ４１）からステップ（Ｓ４５）によって放送されたＦＭ多重放送用データから、視聴者は、上述の受信機５を用いることによって、放送された番組を受信し（ステップ（Ｓ４６））、受信した番組を再生したり、所望の情報を録音したりすることができる（ステップ（Ｓ４７））。【００３９】  ステップ（Ｓ４１）では、図２に示したコンテンツ・データ２１とインデックス・データ２２とが制作される。このとき、インデックス・データ２２には、例えば、音楽番組の場合には、少なくとも番組内で流される音楽の曲名、アーティスト名、放送開始時間、放送終了時間又は曲長時間のデータを含むように制作され、さらに、音楽ジャンル、歌詞、又は曲名若しくはアーティストに関するキーワードを含むように制作してもよい。かかる制作作業は中央サーバー１で行ってもよいし、他の端末で行ってもよい。【００４０】  ステップ（Ｓ４２）では、ステップ（Ｓ４１）で制作されたＦＭ多重放送用データを、どのコミュニティ・サーバー３ａ，３ｂ，３ｃに配信する��、いつ配信するかなどの管理を中央サーバー１で行う。【００４１】  ステップ（Ｓ４３）では、ＦＭ多重放送用データをステップ（Ｓ４２）で管理するスケジュールに応じて所定のコミュニティ・サーバー３ａ，３ｂ，３ｃにインターネットを経由して配信を行う。【００４２】  ステップ（Ｓ４４）では、コンテンツ・データ２１のブランクデータ２１ｃに、コミュニティＦＭ局４ａ，４ｂ，４ｃの各地域に密着した情報（番組、交通情報、天気予報など）を挿入する。かかる操作は、コミュニティ・サーバー３ａ，３ｂ，３ｃで行ってもよいし、他の端末で行ってもよい。なお、コミュニティＦＭ局４ａ，４ｂ，４ｃでコンテンツ・データ２１の加工が不要な場合は、ステップ（Ｓ４４）は省略してもよい。【００４３】  ステップ（Ｓ４５）では、ステップ（Ｓ４４）によって完成したＦＭ多重放送用データを各コミュニティＦＭ局４ａ，４ｂ，４ｃのスケジュールに応じて地域ごとに放送を行う。【００４４】  このように、インデックス・データ２２を中央サーバー１側で一括して制作・管理し、各コミュニティＦＭ局４ａ，４ｂ，４ｃに提供することによって、各コミュニティＦＭ局４ａ，４ｂ，４ｃ側でインデックス・データ２２を制作したり加工したりする必要はなく、必要に応じてコンテンツ・データ２１を加工するだけで、各地域において視聴者の好みに応じた自動録音のためのＦＭ多重放送サービスを提供することができる。【００４５】  次に本実施形態の受信機を用いた録音方法について説明する。図５は、本実施形態の受信機を用いた録音方法を示したフロー図である。【００４６】  図３に示した受信機５では、ＦＭ放送を受信するステップ（Ｓ５１）、インデックス・データ２２を含むか否か判断するステップ（Ｓ５２）、入力されたキーワードを含むか否かを判断するステップ（Ｓ５３）、所定のコンテンツ・データ２１を録音するステップ（Ｓ５４）、コンテンツ・データ２１を再生するか否か判断するステップ（Ｓ５５）、インデックス・データ２２を表示するか否か判断するステップ（Ｓ５６）、インデックス・データ２２を表示するステップ（Ｓ５７）、コンテンツ・データ２１を再生するステップ（Ｓ５８）によって、ＦＭ多重放送を再生したり、文字データをディスプレイ表示したり、所定のコンテンツ・データ２１を録音したりすることができる。【００４７】  ステップ（Ｓ５２）では、インデックス・データ２２を含むか否かを判断する。インデックス・データ２２を含まない場合には、ＦＭ多重放送でないので、そのまま再生するステップ（Ｓ５８）に移行する。インデックス・データ２２を含む場合には、受信したインデックス・データ２２に入力された所定のキーワードが含まれるか否かを判断するステップ（Ｓ５３）に移行する。【００４８】  ステップ（Ｓ５３）では、受信したインデックス・データ２２に入力された所定のキーワードが含まれるか否かを判断し、所定のキーワードを含む場合には、該当するコンテンツ・データ２１を録音するステップ（Ｓ５４）に移行する。さらに、録音と同時に該当するコンテンツ・データ２１を再生するか否か判断するステップ（Ｓ５５）に移行する。また、所定のキーワードを含まない場合には、受信したコンテンツ・デー���２１を再生するか否か判断するステップ（Ｓ５５）に移行する。【００４９】  ステップ（Ｓ５５）では、受信したコンテンツ・データ２１を再生するか否かを判断し、再生する場合には、インデックス・データ２２をディスプレイに表示するか否か判断するステップ（Ｓ５６）に移行する。また、再生しない場合であっても、文字放送のみを楽しむ場合もあり、インデックス・データ２２をディスプレイに表示するか否か判断するステップ（Ｓ５６）に移行する。【００５０】  ステップ（Ｓ５６）では、インデックス・データ２２をディスプレイに表示するか否かを判断し、表示する場合にはステップ（Ｓ５７）に移行し、最終的に再生するステップ（Ｓ５８）に移行する。また、表示しない場合であっても、最終的に再生するステップ（Ｓ５８）に移行する。【００５１】  このように、本実施形態の受信機によれば、普通にＦＭ放送やＦＭ多重放送を楽しむだけでなく、視聴者の条件に応じてインデックス・データ２２を検索することができ、その検索結果によってコンテンツ・データ２１に含まれる特定の情報のみを再生又は記憶させることができる。
【産業上の利用可能性】
【００５２】  本発明のＦＭ多重放送システム及びＦＭ多重放送提供方法によれば、視聴者の条件に応じて特定の情報のみを再生又は記憶させることができるＦＭ多重放送データを中央サーバーで集中的に制作又は管理することができるので、コミュニティＦＭ局における負担を軽減させつつ、各地域において視聴者の条件に応じて特定の情報のみを再生又は記憶させることができるＦＭ多重放送を提供することができる。【００５３】  また、本発明のＦＭ多重放送用インデックス・データによれば、音楽の曲名、放送開始時刻、曲長時間などの情報を含むので、視聴者の条件に応じて特定の情報のみを識別することができ、その識別結果に基づいて特定の情報のみを再生又は記憶させることができる。【００５４】  さらに、本発明の受信機によれば、普通にＦＭ放送やＦＭ多重放送を楽しむだけでなく、視聴者の条件に応じてインデックス・データを検索することができ、その検索結果によって特定の情報のみを再生又は記憶させることができる。
【図１】
2006001335.tif 000002
【図２】
2006001335.tif 000003
【図３】
2006001335.tif 000004
【図４】
2006001335.tif 000005
【図５】
2006001335.tif 000006
【国際調査報告】
2006001335.tif 000007
2006001335.tif 000008
2006001335.tif 000009
2006001335.tif 000010
2006001335.tif 000011
2006001335.tif 000012
2006001335.tif 000013
2006001335.tif 000014